(57)【要約】【課題】  上位装置から複合機に対する指示操作を簡単に行うことができる情報処理システム、複合機および上位装置を提供する。【解決手段】  情報処理システムは、ネットワークを介して接続されたクライアントＰＣと複合機を備える。複合機は、ＰＣからの要求に応じて全てのリソースリストをＰＣに送信する。ＰＣは、リソースリストに基づいて全てのリソースのツリー構造を作成し、それをファイルシステムとして統括ツリー画面４０に表示するとともに、ファイルシステムへの操作に伴うリソースの変化に応じたコマンドを生成し、複合機１０に送出する。【選択図】    図３
2006270403.tif 000002
【特許請求の範囲】
【請求項１】
ネットワークを介して接続された複合機および上位装置を有する情報処理システムにおいて、
前記複合機は、前記上位装置からの要求に応じて自己が保有する全てのリソースリストを前記上位装置に提供するとともに、前記上位装置からのコマンドに応じた処理を実行する第１の制御手段を備え、
前記上位装置は、前記複合機から取得した前記リソースリストに基づいて全てのリソースのツリー構造を作成し、それをファイルシステムとして画面に表示するとともに、前記ファイルシステムへの操作に伴うリソースの変化に応じたコマンドを生成し、前記複合機に送出する第２の制御手段を有すること特徴とする情報処理システム。
【請求項２】
前記リソースの変化は、ファイルの属性またはジョブ状態の変化を含むことを特徴とする請求項１に記載の情報処理システム。
【請求項３】
前記ファイルの属性の変化は、ファックスの送信時刻の変更を含むことを特徴とする請求項２に記載の情報処理システム。
【請求項４】
前記ジョブ状態の変化は、ジョブの追加、削除、続行または一時停止を含むことを特徴とする請求項２に記載の情報処理システム。
【請求項５】
前記第１の制御手段は、前記上位装置からの要求に応じてジョブおよび親展ボックスを含むリソースリストを前記上位装置に提示することを特徴とする請求項１に記載の情報処理システム。
【請求項６】
前記ジョブは、コピー処理またはファクシミリ処理であることを特徴とする請求項５に記載の情報処理装置。
【請求項７】
前記第１の制御手段は、前記上位装置からの要求に応じてコピー処理あるいはファクシミリ処理を行うジョブ、および親展ボックスを含むリソースリストを前記上位装置に提示し、
前記第２の制御手段は、前記ジョブおよび前記親展ボックスを含む前記リソースリストを取得したとき、前記リソースリストをツリー構造で画面に表示し、前記親展ボックス中の文書ファイルに対してジョブとして追加する操作が行われたとき、そのコマンドを前記複写機に送出することを特徴とする請求項１に記載の情報処理システム。
【請求項８】
上位装置からの要求に応じて自己が保有する全てのリソースリストを前記上位装置に提供するとともに、前記上位装置からのコマンドに応じた処理を実行することを特徴とする複合機。
【請求項９】
複合機から前記複合機が有する複数の機能に関する全てのリソースリストを取得したとき、前記リソースリストに基づいて全てのリソースのツリー構造を作成し、それをファイルシステムとして画面に表示するとともに、前記ファイルシステムへの操作に伴うリソースの変化に応じたコマンドを生成し、前記複合機に送出すること特徴とする上位装置。
【発明の詳細な説明】
【技術分野】
【０００１】
本発明は、ネットワークを介して接続されたコピー機能、ファクシミリ機能等の複数の機能を有する複合機、および上位装置からなる情報処理システムに関する。
【背景技術】
【０００２】
オフィス等においては、コピー機、プリンタ、スキャナ、ファクシミリ機等は必須の事務機器であるが、これらの全てを設置するには、機器台数分の設置スペースを必要とする。そこで、コピー機、プリンタ、ファクシミリ機等を１台にまとめた複合機が、省スペース化を図れることから注目されている。また、複合機は、パーソナルコンピュータ（以下、ＰＣという。）に接続することにより情報処理システムを構成し、ＰＣの端末装置として利用できるため、ＰＣ専用のプリンタを不要にすることができる。
【０００３】
図５は、従来の情報処理システムのコピー処理時の通信処理を示し、図６〜図８は、図５の通信処理の処理過程で表示される画面を示す。
【０００４】
まず、ユーザは、クライアントＰＣを操作して複合機にジョブリストの提供を要求し（Ｓ１０１）、この要求に対して複合機は、ジョブリストをクライアントＰＣに提供する（Ｓ１０２）。クライアントＰＣは、取得したジョブリストに基づいてジョブのリソースツリーを作成し（Ｓ１０３）、図６に示すようなジョブツリー画面２０を表示する。
【０００５】
次に、ユーザは、クライアントＰＣを操作して複合機に親展ボックスリストの提供を要求し（Ｓ１０４）、この要求に対して複合機は、親展ボックスリストをクライアントＰＣに提供する（Ｓ１０５）。クライアントＰＣは、取得した親展ボックスリストに基づいて親展ボックスのツリーを作成し（Ｓ１０６）、図７に示すような親展ボックスツリー画面３０を表示する。
【０００６】
次に、ユーザは、図７の画面３０上の例えば「文書１」をマウスの操作により選択し、「文書１」を所定の位置へ移動してドロップして複合機に文書１の提供を要求し（Ｓ１０７，Ｓ１０８）、この文書要求に対し複合機は、「文書１」のデータをクライアントＰＣに提供する（Ｓ１０９）。次に、ユーザは、クライアントＰＣを操作して「文書１」に対して印刷指示を行うと（Ｓ１１０）、プリンタドライバは、「文書１」の印刷指示および印刷データを複合機に送付する（Ｓ１１１）。
【０００７】
その後、ユーザの操作に基づいてクライアントＰＣは、複合機にジョブリストの提供を要求する（Ｓ１１２）。この要求に対して複合機は、ジョブリストをクライアントＰＣに提供する（Ｓ１１３）。クライアントＰＣは、取得したジョブリストに基づいて内部のリソースツリーを更新する（Ｓ１１４）。
【０００８】
なお、クライアントＰＣは、ジョブリストおよび親展ボックスリストの取得は、それぞれ専用のプロトコルを用いて行う。
【０００９】
また、従来の他の情報処理システムの通信処理として、ネットワークに接続された電子機器をネットワーク経由で監視および制御をするためのプロトコルであるＳＮＭＰ（Simple Network Management Protocol）や、他のコンピュータにあるデータやサービスを呼び出すためのプロトコルであるＳＯＡＰ(Simple Object Access Protocol)により複合機の操作を実行する方法がある。
【００１０】
また、複合機内のプリンタオブジェクト（printer object）をツリー形式で視覚的に見せる情報処理装置が知られている（例えば、特許文献１参照。）。この情報処理装置は、ＣＰＵが外部メモリから読み出したディレクトリ情報の中からプリンタオブジェクトを検出し、このプリンタオブジェクトをツリー形式に従ってＣＲＴ上にリスト表示する際、プリンタオブジェクトを優先して上位に表示するようにオブジェクト表示を制御し、ユーザが意図するプリンタオブジェクトを表示するまでに要する操作手順を簡略化できるようにしている。
【特許文献１】特開２００２−２０２８３７号公報（［００４１］〜［００６０］、図３〜図５）
【発明の開示】
【発明が解決しようとする課題】
【００１１】
しかし、従来の情報処理システムによると、図５に示した処理では、クライアントＰＣと複合機の間の通信回数およびユーザの操作回数が多くなり、印刷手続きが終了するまでに時間を要する。
【００１２】
また、ＳＮＭＰやＳＯＡＰのプロトコルを用いた場合、クライアントＰＣ上では、特別なアプリケーションにより複合機のジョブの操作を行うが、ジョブの削除等を実行するための特別なユーザインタフェースを備える必要があり、汎用機には適用しにくい。
【００１３】
また、特許文献１の構成は、プリンタのディレクトリ情報をツリー構造にして見せているが、オブジェクトをファイルとして見せるための手段は備えていないため、クライアントＰＣのファイルシステムやデスクトップをツリー構造で見せることができない。
【００１４】
従って、本発明の目的は、上位装置から複合機に対する指示操作を簡単に行うことができる情報処理システム、複合機および上位装置を提供することにある。
【課題を解決するための手段】
【００１５】
本発明は、上記目的を達成するため、ネットワークを介して接続された複合機および上位装置を有する情報処理システムにおいて、前記複合機は、前記上位装置からの要求に応じて自己が保有する全てのリソースリストを前記上位装置に提供するとともに、前記上位装置からのコマンドに応じた処理を実行する第１の制御手段を備え、前記上位装置は、前記複合機から取得した前記リソースリストに基づいて全てのリソースのツリー構造を作成し、それをファイルシステムとして画面に表示するとともに、前記ファイルシステムへの操作に伴うリソースの変化に応じたコマンドを生成し、前記複合機に送出する第２の制御手段を有すること特徴とする情報処理システムを提供する。
【００１６】
上記情報処理システムによれば、上位装置は、複合機が保有する全てのリソースのツリー構造をファイルシステムとして画面に表示するので、表示されたツリー構造に対してユーザが操作することにより、複合機に対して簡単に指示することができる。
【００１７】
上記リソースの変化には、ファイルの属性の変化やジョブ状態の変化が含まれ、ファイルの属性の変化には、ファックスの送信時刻の変更が含まれ、ジョブ状態の変化には、ジョブの追加、削除、続行または一時停止が含まれる。
【００１８】
上記第１の制御手段は、上位装置からの要求に応じてジョブおよび親展ボックスを含むリソースリストを上位装置に提示する構成としてもよい。この場合、上記ジョブは、コピー処理またはファクシミリ処理であることが好ましい。ジョブと親展ボックスが一つのルリー構造で画面に表示されることにより、親展ボックスの文書ファイルをコピージョブあるいはファクシミリジョブとして指示することが容易となる。
【００１９】
上記第１の制御手段は、上位装置からの要求に応じてコピー処理あるいはファクシミリ処理を行うジョブ、および親展ボックスを含むリソースリストを上位装置に提示し、上記第２の制御手段は、ジョブおよび親展ボックスを含むリソースリストを取得したとき、リソースリストをツリー構造で画面に表示し、親展ボックス中の文書ファイルに対してジョブとして追加する操作が行われたとき、そのコマンドを複写機に送出する構成としてもよい。
【００２０】
本発明は、上記目的を達成するため、上位装置からの要求に応じて自己が保有する全てのリソースリストを前記上位装置に提供するとともに、前記上位装置からのコマンドに応じた処理を実行することを特徴とする複合機を提供する。
【００２１】
上記複合機によれば、自己が保有する全てのリソースリストを上位装置に提供することにより、上位装置は、複合機が保有する全てのリソースのツリー構造をファイルシステムとして画面に表示することができ、その表示されたツリー構造に対してユーザが操作することにより、複合機に対して簡単に指示することができる。
【００２２】
本発明は、上記目的を達成するため、複合機から複合機が有する複数の機能に関する全てのリソースリストを取得したとき、リソースリストに基づいて全てのリソースのツリー構造を作成し、それをファイルシステムとして画面に表示するとともに、前記ファイルシステムへの操作に伴うリソースの変化に応じたコマンドを生成し、前記複合機に送出すること特徴とする上位装置を提供する。
【００２３】
上記上位装置によれば、複合機が保有する全てのリソースのツリー構造をファイルシステムとして画面に表示することができ、その表示されたツリー構造に対してユーザが操作することにより、複合機に対して簡単に指示することができる。
【発明の効果】
【００２４】
本発明によれば、上位装置から複合機に対する指示操作を簡単に行うことができる。
【発明を実施するための最良の形態】
【００２５】
（情報処理システムの構成）
図１は、本発明の実施の形態に係る情報処理システムを示す。この情報処理システム１は、コピー機、プリンタ、スキャナ、ファクシミリ（ＦＡＸ）機等の機能を１台で実行する複合機１０と、ＬＡＮ等のネットワーク２を介して複合機１０のインターフェース（Ｉ／Ｆ）部に接続された上位装置としてのクライアントＰＣ３とを備える。
【００２６】
複合機１０は、ＣＰＵ１１ａを備えてシステム全体を制御する制御部１１を有し、この制御部１１に、バス１２を介して、記憶部１３、原稿から画像を光学的に読み取るスキャナ部１４、画像を用紙に印刷する印刷部１５、テンキー、ファンクションキー等を備えた操作部１６、公衆回線４を介して画像を送受信するファックス通信部１７、およびネットワーク２を介してクライアントＰＣ３と通信を行うネットワークインターフェース（Ｉ／Ｆ）１８を接続したものである。
【００２７】
記憶部１３は、ＣＰＵ１１ａが実行するプログラム等が格納されたＲＯＭと、設定データ、画像データ、処理結果等が格納されるＲＡＭとからなる。
【００２８】
操作部１６は、複合機１０の機能、設定内容、通信時の状況等を表示するＬＣＤ(Liquid Crystal Display)、このＬＣＤ上に設けられたタッチパネル、および各種用途のハードキーを備える。
【００２９】
また、複合機１０は、自身のジョブ、親展ボックス等のリソースを、ファイルシステムとしてＮＦＳ（Network File System）やＷｅｂＤＡＶ（Distributed Authoring and Versioning protocol for the WWW）プロトコルを通してクライアントＰＣ３に提供できる様に構成されている。
【００３０】
複合機１０は、自身のリソースをファイルシステムとして提供するために、全てのリソースをツリー構造として一意に指定する手段と、ツリー構造のリソースをファイルシステムとしてクライアントに提供する手段と、クライアントＰＣ３によって行われたリソースの属性の変更や削除を検知する検知手段を、記憶部１３および制御部１１に備えている。
【００３１】
そして、制御部１１は、リソースの変更（属性の変更、削除）を検知したときは、例えば、ステップルの有無、ＦＡＸの宛先、送信時刻を変更し、或いは、ジョブの追加、削除を実行し、ファイルの削除を検知したときは、ジョブを中止し、ジョブ状態の変化を検知したときは、それに応じてジョブの続行、一時停止等を実行するものである。
【００３２】
クライアントＰＣ３は、いわゆるパーソナルコンピュータを用いることができ、複合機１０から提供されたファイルシステムをクライアントＰＣ３内のファイルシステムの一部に格納する機能を備えている。
【００３３】
更に、クライアントＰＣ３は、コピー、ＦＡＸ等のジョブに対する属性の変更、ジョブの削除、ドラッグドロップ等の通常のファイル操作が行える様に構成され、この操作に応じて対応するジョブを実行させる機能を備える。例えば、ＦＡＸジョブの場合、宛先や時刻指定送信の属性が変更されると、宛先や送信時刻の変更を実行する様に構成されている。
【００３４】
（通信処理）
図２は、情報処理システムのコピー処理時の通信処理を示す。また、図３は、図２の通信処理過程でクライアントＰＣに表示される表示内容を示す。図２に示す処理は、記憶部１３に格納されたプログラムに従って制御部１１が実行する。
【００３５】
まず、クライアントＰＣ３のユーザは、クライアントＰＣ３に付属する図示しないキーボードやマウスを操作し、複合機１０に対してリソースリストの提供を要求する（Ｓ２０１）。この要求は、ネットワーク２を介して複合機１０に送られる。
【００３６】
複合機１０では、制御部１１により、ジョブ、親展ボックス等の保有するリソースをファイルシステムとしてクライアントＰＣ３に提供するために、全てのリソースをツリー構造にし、このリソースをファイルシステムとしてネットワークＩ／Ｆ１９を介してクライアントＰＣ３へ送信する（Ｓ２０２）。
【００３７】
次に、クライアントＰＣ３のＣＰＵは、複合機１０から取得したリソースリストに基づいてリソースツリーを作成し（Ｓ２０３）、統括ツリー画面４０をＰＣ３のディスプレイに表示する。統括ツリー画面４０には、ジョブ、親展ボックス、文書等がツリー構造により表示されている。
【００３８】
次に、ユーザは、マウスのポインタを図３（ａ）の画面４０内の「文書１」に合わせ、図３（ｂ）に示すように、「文書１」を「ジョブ」へ移動してドロップする（Ｓ２０５）。この操作により、クライアントＰＣ３のＣＰＵは、「文書１」について複合機１０にコピーコマンドを発行する（Ｓ２０６）。
【００３９】
このコピーコマンドは、通常のファイルシステムのコピーコマンド、すなわち、「コピー／親展ボックス／ボックス１／文書１／」である。コピーコマンドを受信した複合機１０は、「文書１」のコピーを実行するとともに、ジョブの実行をクライアントＰＣ３へ通知する（Ｓ２０７）。
【００４０】
その後、クライアントＰＣ３は、複合機１０にジョブリストの提供を要求する（Ｓ２０８）。この要求に対して複合機１０は、ジョブリストをＰＣへ送信する（Ｓ２０９）。ジョブリストを受け取ったクライアントＰＣ３は、リソースツリーに「ジョブ３」を追加して更新し（Ｓ２１０）、図４に示すように、統括ツリー画面４０をＰＣ３のディスプレイに表示する。
【００４１】
（実施の形態の効果）
本発明の実施の形態によれば、下記の効果を奏する。
（イ）複合機１０の操作を通常のファイル操作と同じ感覚で実行できる。
（ロ）クライアントＰＣ３のファイルシステムやデスクトップをツリー構造のルートとして、ネットワーク上の複合機が有する複数の機能に関する全てのリソースリストを１つのツリー構造にすることができる。
（ハ）クライアントＰＣ３は、属性の変更、削除、ドラッグドロップ等の通常のファイル操作を実行することでジョブの操作ができる。例えば、ＦＡＸジョブに対して時刻指定送信の属性を変更すると、送信時刻の変更を行うことができる。
【００４２】
［他の実施の形態］
なお、本発明は、上記実施の形態に限定されず、本発明の技術思想を逸脱あるいは変更しない範囲内で種々な変形が可能である。例えば、上記実施の形態では、コピー機能について説明したが、ＦＡＸ機能も同様に処理され、上記コピーに関する部分をＦＡＸに読み替えればよい。
【図面の簡単な説明】
【００４３】
【図１】本発明の実施の形態に係る情報処理システムを示すブロック図である。
【図２】図１の情報処理システムの通信処理を示すタイムチャートである。
【図３】統括画面を示し、（ａ）は文書１をジョブとして指定する前を示し、（ｂ）は文書１をジョブとして指定する操作を示す図である。
【図４】更新後の統括画面を示す図である。
【図５】従来の情報処理システムの通信処理を示すタイムチャートである。
【図６】ジョブツリー画面を示す図である。
【図７】親展ボックスツリー画面を示す図である。
【図８】更新後のジョブツリー画面を示す図である。
【符号の説明】
【００４４】
１  情報処理システム
２  ネットワーク
３  クライアントＰＣ
１０  複合機
１１  制御部
１１ａ  ＣＰＵ
１２  バス
１３  記憶部
１４  スキャナ部
１５  印刷部
１６  操作部
１７  ファックス通信部
１８  公衆回線
１９  ネットワークＩ／Ｆ
２０  ジョブツリー画面
３０  親展ボックスツリー画面
４０  統括ツリー画面
【図１】
2006270403.tif 000003
【図２】
2006270403.tif 000004
【図３】
2006270403.tif 000005
【図４】
2006270403.tif 000006
【図５】
2006270403.tif 000007
【図６】
2006270403.tif 000008
【図７】
2006270403.tif 000009
【図８】
2006270403.tif 000010